(57)【要約】【課題】簡素な製造工程で、絶縁被覆の損傷を回避できる分岐ワイヤーハーネスを提供することを目的とする。【解決手段】分岐ワイヤーハーネス１は、ハーネス本体１０と、外装体２０とを備えている。ハーネス本体１０は、芯線１２と、芯線１２を被覆する絶縁被覆１３とを備える複数の電線１１により構成されている。複数の電線１１は束ねられて電線束１１Ｂとされ、電線束１１Ｂからは、各電線１１の端末部１１Ｅがそれぞれ分岐している。外装体２０は、電線束１１Ｂに外装されている。外装体２０が、軸方向に沿って延びるスリット２１を有し、このスリット２１を挟んで互いに対向して配置される一対のリップ部２２、２２を備えるとともに、一対のリップ部２２、２２を除く部分がチューブ本体２３となっており、リップ部２２、２２がチューブ本体２３よりも軟質な材料により構成されている。【選択図】図１
2017216856.tif 000002
【特許請求の範囲】
【請求項１】
芯線と、前記芯線を被覆する絶縁被覆とを備える電線により構成され、本線と、前記本線から分岐した分岐線とを備えるハーネス本体と、
前記本線に装着される筒状の外装体とを備えた分岐ワイヤーハーネスであって、
前記外装体が、軸方向に沿って延び、前記分岐線を外部に導出可能なスリットを有し、前記スリットを挟んで互いに対向して配置される一対のリップ部を備えるとともに、前記リップ部を除く部分がチューブ本体となっており、
前記リップ部が前記チューブ本体よりも軟質な材料により構成されている分岐ワイヤーハーネス。
【請求項２】
前記リップ部が、前記絶縁被覆より軟質な材料により構成されている、請求項１に記載の分岐ワイヤーハーネス。
【請求項３】
前記一対のリップ部のそれぞれが、相手側のリップ部と対向するリップ面を有しており、一対の前記リップ面間の距離が、前記分岐線の外径よりも小さくなっている、請求項１または請求項２に記載の分岐ワイヤーハーネス。
【請求項４】
前記リップ部の幅が前記分岐線の外径よりも大きくなっている、請求項１〜請求項３のいずれか１項に記載の分岐ワイヤーハーネス。
【請求項５】
前記一対のリップ部のそれぞれが、相手側のリップ部と対向するリップ面を有しており、一対の前記リップ面のそれぞれが、相手側のリップ面に向かって凸となる曲面となっている、請求項１〜請求項４のいずれか１項に記載の分岐ワイヤーハーネス。
【発明の詳細な説明】
【技術分野】
【０００１】
本明細書によって開示される技術は、分岐ワイヤーハーネスに関する。
【背景技術】
【０００２】
複数の電線が束ねられた電線束を備え、電線束から、一部の電線の端末部が分岐している分岐ワイヤーハーネスが知られている。
分岐ワイヤーハーネスを構成する電線の保護を目的として、電線束にテープを捲回したり、電線束を合成樹脂製の外装体によって包囲したりすることがある（特許文献１参照）。
【先行技術文献】
【特許文献】
【０００３】
【特許文献１】特開２０１３−０２１７５３号公報
【発明の概要】
【発明が解決しようとする課題】
【０００４】
電線束にテープを捲回する場合には、分岐している箇所でテープがほどけないように巻き付けるために手間がかかり、製造工程が煩雑化する。
【０００５】
一方、電線束を外装体によって包囲する場合には、分岐線を導出できるように外装体を分割したり、外装体に切り欠きを設けたりする必要がある。このような構成では、外装体の加工に手間がかかり、製造工程が煩雑化する。また、輸送中や使用中において分岐ワイヤーハーネスに振動が加えられた場合に、外装体と電線とがぶつかり合ったりこすれあったりして、外装体の切り口によって電線の絶縁被覆が損傷するおそれがある。
【課題を解決するための手段】
【０００６】
本明細書によって開示される分岐ワイヤーハーネスは、芯線と、前記芯線を被覆する絶縁被覆とを備える電線により構成され、本線と、前記本線から分岐した分岐線とを備えるハーネス本体と、前記本線に装着される筒状の外装体とを備えた分岐ワイヤーハーネスであって、前記外装体が、軸方向に沿って延び、前記分岐線を外部に導出可能なスリットを有し、前記スリットを挟んで互いに対向して配置される一対のリップ部を備えるとともに、前記リップ部を除く部分がチューブ本体となっており、前記リップ部が前記チューブ本体よりも軟質な材料により構成されている。
【０００７】
上記の構成によれば、一対のリップ部によって、分岐線を柔らかく挟むようにして保持しつつ、本線を包囲する外装体から引き出すことができる。また、外装体が分岐線を挟んで保持していることにより、分岐ワイヤーハーネスの輸送中や使用中において、振動が加えられた場合に、ハーネス本体と外装体とが同位相で振動することとなり、外装体とハーネス本体とのぶつかり合い、こすれ合いをある程度抑制することができる。これらにより、外装体とハーネス本体とがぶつかり合ったり、こすれ合ったりすることによって絶縁被覆が損傷することを回避できる。また、所望の箇所で分岐線を引き出して一対のリップ部によって保持させれば足りるため、製造工程を簡素化できる。
【０００８】
上記の構成において、前記リップ部が、前記絶縁被覆より軟質な材料により構成されていても構わない。
このような構成によれば、絶縁被覆の損傷を確実に回避できる。
【０００９】
上記の構成において、前記一対のリップ部のそれぞれが、相手側のリップ部と対向するリップ面を有しており、一対の前記リップ面間の距離が、前記分岐線の外径よりも小さくなっていても構わない。
このような構成によれば、一対のリップ部による分岐線の保持力を確保することができる。
【００１０】
上記の構成において、前記リップ部の幅が前記分岐線の外径よりも大きくなっていても構わない。
このような構成によれば、分岐線との摩擦などによりリップ部が削れたとしても、分岐線がチューブ本体に当接しない。これにより、硬いチューブ本体が分岐線に当接して絶縁被覆が損傷することを回避できる。
【００１１】
上記の構成において、前記一対のリップ部のそれぞれが、相手側のリップ部と対向するリップ面を有しており、一対の前記リップ面のそれぞれが、相手側のリップ面に向かって凸となる曲面となっていても構わない。
このようにリップ面、すなわち分岐線に当接する面が曲面となっており、鋭利な角部を有していないことによって、絶縁被覆の損傷を確実に回避できる。
【発明の効果】
【００１２】
本明細書によって開示される技術によれば、簡素な製造工程で、絶縁被覆の損傷を回避できる分岐ワイヤーハーネスを提供できる。
【図面の簡単な説明】
【００１３】
【図１】実施形態の分岐ワイヤーハーネスの斜視図
【図２】実施形態において、一対のリップ部により分岐線が挟み付けられている様子を示す部分拡大斜視図
【図３】実施形態において、一対のリップ部により分岐線が挟み付けられている様子を示す部分拡大側面図
【図４】図３のＡ−Ａ線断面図
【図５】変形例において、一対のリップ部により分岐線が挟み付けられている様子を示す部分拡大側面図
【図６】図５のＢ−Ｂ線断面図
【発明を実施するための形態】
【００１４】
実施形態を、図１〜図４を参照しつつ説明する。本実施形態の分岐ワイヤーハーネス１は、図１に示すように、複数の電線１１により構成されるハーネス本体１０と、このハーネス本体１０に装着される外装体２０とを備えている。各電線１１は、芯線１２と、この芯線１２の外周を被覆する合成樹脂製の絶縁被覆１３とを備える公知の構成のものである。複数の電線１１は束ねられて電線束１１Ｂ（本線に該当）とされ、電線束１１Ｂからは、各電線１１の端末部１１Ｅ（分岐線に該当）が分岐している。
【００１５】
外装体２０は、合成樹脂製であって、図１に示すように、全体として、両端が開口した円筒状に構成されている。この外装体２０は、軸方向に沿って全長にわたって延びるスリット２１を有しており、このスリット２１から各電線１１の端末部１１Ｅが外装体２０の外部に導出されている。
【００１６】
外装体２０は、一対のリップ部２２、２２を備えている。一対のリップ部２２、２２は、図３に示すように、外装体２０において、スリット２１の両側に、スリット２１に隣接して、互いに対向して配置されている。一対のリップ部２２、２２のそれぞれは、スリット２１に沿って、外装体２０の全長にわたって延びる細長い帯状の部分である。外装体２０において、これら一対のリップ部２２、２２を除く部分は、チューブ本体２３となっている。
【００１７】
各リップ部２２は、チューブ本体２３よりも軟質であり、かつ、電線１１の絶縁被覆１３より軟質な材料により構成されている。例えば、チューブ本体２３および絶縁被覆１３がポリプロピレンまたは硬質ＰＶＣ（ポリ塩化ビニル）により構成されており、リップ部２２がエラストマまたは軟質ＰＶＣ（ポリ塩化ビニル）により構成されていてもよい。
【００１８】
一対のリップ部２２、２２のそれぞれにおいて、相手側のリップ部２２と対向する面（リップ面２２Ｆ）は、図４に示すように、相手側のリップ面２２Ｆに向かって凸となる曲面となっている。また、各リップ部２２の幅（リップ面２２Ｆからその反対側の端縁までの距離）Ｗは、電線１１の外径Ｄ１よりも大きくなっている。
外装体２０が電線束１１Ｂに外装されていない状態においては、一対のリップ部２２、２２が互いに接触している。
【００１９】
上記のような外装体２０は、例えば二色成形によって製造することができる。
【００２０】
外装体２０は、電線束１１Ｂを包囲するように装着され、一対のリップ部２２、２２の間から、各電線１１の端末部１１Ｅが外部に引き出されている。一対のリップ部２２、２２は、電線１１が間に通されることによって圧縮され、弾性復元力によって、端末部１１Ｅを両側から挟み付けるようにして、端末部１１Ｅの外周に密着する。これにより、端末部１１Ｅが所望の位置で保持される。一対のリップ部２２、２２は、端末部１１Ｅが導出されている箇所を除く部分では、互いに密着している。
【００２１】
以上のように本実施形態によれば、分岐ワイヤーハーネス１は、ハーネス本体１０と、外装体２０とを備えている。ハーネス本体１０は、芯線１２と、芯線１２を被覆する絶縁被覆１３とを備える複数の電線１１により構成されている。複数の電線１１は束ねられて電線束１１Ｂとされ、電線束１１Ｂからは、各電線１１の端末部１１Ｅがそれぞれ分岐している。外装体２０は、電線束１１Ｂに外装されている。外装体２０が、軸方向に沿って延び、端末部１１Ｅを外部に導出可能なスリット２１を有し、このスリット２１を挟んで互いに対向して配置される一対のリップ部２２、２２を備えるとともに、一対のリップ部２２、２２を除く部分がチューブ本体２３となっており、リップ部２２、２２がチューブ本体２３よりも軟質な材料により構成されている。
【００２２】
上記の構成によれば、一対のリップ部２２、２２によって、電線１１の端末部１１Ｅを柔らかく挟むようにして保持しつつ、電線束１１Ｂを包囲する外装体２０から引き出すことができる。また、外装体２０が端末部１１Ｅを挟んで保持していることにより、分岐ワイヤーハーネス１の輸送中や使用中において、振動が加えられた場合に、ハーネス本体１０と外装体２０とが同位相で振動することとなり、外装体２０とハーネス本体１０とのぶつかり合い、こすれ合いをある程度抑制することができる。これらにより、外装体とハーネス本体とがぶつかり合ったり、こすれ合ったりすることによって絶縁被覆が損傷することを回避できる。また、所望の箇所で端末部１１Ｅを引き出して一対のリップ部２２、２２によって保持させれば足りるため、製造工程を簡素化できる。
【００２３】
また、リップ部２２、２２が、絶縁被覆１３より軟質な材料により構成されている。このような構成によれば、絶縁被覆１３の損傷を確実に回避できる。
【００２４】
また、一対のリップ部２２、２２のそれぞれが、相手側のリップ部２２と対向するリップ面２２Ｆを有しており、一対のリップ面２２Ｆ、２２Ｆ間の距離が、電線１１の外径よりも小さくなっている。このような構成によれば、一対のリップ部２２、２２による端末部１１Ｅの保持力を確保することができる。
【００２５】
さらに、一対のリップ部２２、２２のそれぞれは、電線１１の外径Ｄ１よりも大きな幅Ｗを有している。このような構成によれば、端末部１１Ｅとの摩擦などによりリップ部２２、２２が削れたとしても、端末部１１Ｅがチューブ本体２３に当接しない。これにより、硬いチューブ本体２３が端末部１１Ｅに当接して絶縁被覆１３が損傷することを回避できる。
【００２６】
加えて、一対のリップ面２２Ｆ、２２Ｆのそれぞれが、相手側のリップ面２２Ｆに向かって凸となる曲面となっている。このように、リップ面２２Ｆ、すなわち端末部１１Ｅに当接する面が曲面となっており、鋭利な角部を有していないことによって、絶縁被覆１３の損傷を確実に回避できる。
【００２７】
＜変形例＞
図５および図６に示すように、変形例の分岐ワイヤーハーネス３０は、実施形態と同様に、ハーネス本体１０と、このハーネス本体１０に装着され、スリット３２を有する外装体３１とを備えている。本変形例は、外装体３１の一対のリップ部３３、３３が互いに密着しておらず、互いに対向するリップ面３３Ｆ、３３Ｆの間に隙間を有している点で実施形態と異なる。
【００２８】
外装体３１が電線束１１Ｂに外装されていない状態においては、一対のリップ面３３Ｆ、３３Ｆの間隔Ｄ２が、電線１１の外径Ｄ１よりも小さくなっている。
【００２９】
外装体３１が電線束１１Ｂに外装された状態では、一対のリップ部３３、３３の間から、各電線１１の端末部１１Ｅが外部に引き出されている。一対のリップ部３３、３３は、電線１１が間に通されることによって圧縮され、弾性復元力によって、端末部１１Ｅを両側から挟み付けるようにして、端末部１１Ｅの外周に密着する。これにより、端末部１１Ｅが所望の位置で保持される。一対のリップ部３３、３３は、端末部１１Ｅが導出されている箇所を除く部分では、一対のリップ面３３Ｆ、３３Ｆの間隔Ｄ２が、電線１１の外径Ｄ１よりも小さくなっている。
【００３０】
本変形例において、上記以外の構成は、実施形態と同様であり、同様の構成には同一の符号を付して説明を省略する。
【００３１】
＜他の実施形態＞
本明細書によって開示される技術は上記記述及び図面によって説明した実施形態に限定されるものではなく、例えば次のような種々の態様も含まれる。
（１）上記実施形態によれば、ハーネス本体１０が複数の電線により構成され、複数の電線が束ねられた電線束１１Ｂが本線とされ、この電線束１１Ｂから引き出された各電線１１の端末部１１Ｅが分岐線とされていたが、例えば、ハーネス本体が複数に枝分かれした電線により構成され、複数の分枝のうち一部が本線とされ、他が分岐線とされていても構わない。
【００３２】
（２）上記実施形態では、外装体２０、３０が円筒状であったが、外装体は、例えば各筒状であっても構わない。
【符号の説明】
【００３３】
１、３０…分岐ワイヤーハーネス
１０…ハーネス本体
１１…電線
１１Ｂ…電線束（本線）
１１Ｅ…端末部（分岐線）
１２…芯線
１３…絶縁被覆
２０、３１…外装体
２１、３２…スリット
２２、３３…リップ部
２２Ｆ、３３Ｆ…リップ面
２３…チューブ本体
【図１】
2017216856.tif 000003
【図２】
2017216856.tif 000004
【図３】
2017216856.tif 000005
【図４】
2017216856.tif 000006
【図５】
2017216856.tif 000007
【図６】
2017216856.tif 000008